(57)【要約】【課題】構造が単純で低価格で、動力も保守点検も格別に必要としない簡易止水装置を提供する。【解決手段】止水板（１）と、この止水板が収納される箱体（１０）と、下方ロック部材（２０）と、上方ロック部材（３０）とから構成する。止水板（１）の表面（４）は、箱体（１０）に収納し地面下に設置すると地表面と同様に通行に利用可能となり、手動的に立ち上げてロック部材（２０、３０）によりロックすると、塀Ｈ、Ｈの内側へ氾濫水が進入するのを防止する。パッキン（５）を止水板（１）の裏面に設け、交通による損傷、光線による劣化等が起きないようにする。止水板（１）はアルミニウム製のハニカム構造体とアルミニウムの表面材とからなる複合材で構成する。【選択図】    図１
2005060932.tif 000002
【特許請求の範囲】
【請求項１】
所定面積の止水板（１）と、該止水板が収納あるいは載置される箱体（１０）と、下方ロック部材（２０、２０、…）と、上方ロック部材（３０、３０）とからなり、
前記止水板（１）は、前記箱体（１０）に収納された状態で地面下に設置されるとその表面（４）は地表面と略同じ高さとなり、そして手動的に立ち上げて前記下および上ロック部材（２０、３０）によりロックされると、雨水、河川水、海水等の氾濫水の進入を防止するようになっている止水装置であって、
前記箱体（１０）の後端部にはパッキン受枠（１３）が、そして側壁（１２、１２）の後端部には所定高さまで延びた一対のパッキン受支柱（１５、１５）が設けられ、
前記止水板（１）の裏面には、立てられる時に前記パッキン受枠（１３）とパッキン受支柱（１５、１５）とに当接するパッキン（５、５、５）が設けられ、前記下方ロック部材（２０）は、前記箱体の底壁（１４）に固定されている固定部材（２１）と、該固定部材（２１）に対して回動自在に設けられているロック部材（２４）とからなり、
前記上方ロック部材（３０）は、前記パッキン受支柱（１５、１５）の上端部と前記止水板（１）の上端部とにわたって装着されるように構成されていることを特徴とする簡易止水装置。
【請求項２】
請求項１に記載の止水装置において、パッキン受枠（１３）とパッキン受支柱（１５、１５）とが、予め箱体（１）に一体化されている簡易止水装置。
【請求項３】
所定面積の止水板（１）と、該止水板が収納あるいは載置される箱体（１０’）と、ロック部材（４０）とからなり、
前記止水板（１）は、前記箱体（１０’）に収納された状態で地面下に設置されるとその表面（４）は地表面と略同じ高さとなり、そして手動的に立ち上げて前記ロック部材（４０）によりロックされると、雨水、河川水、海水等の氾濫水の進入を防止するようになっている止水装置であって、
前記箱体（１０’）の後端部にはパッキン受枠（１３’）が、そして側壁（１２’、１２’）の後端部には所定高さまで延びた一対のパッキン受支柱（１５’、１５’）が設けられ、
前記止水板の裏面には、立てられる時に前記パッキン受枠（１３）とパッキン受支柱（１５’、１５’）とに当接するパッキン（５、５、５）が設けられ、
前記ロック部材（４０）は、止水板（１）の表面と前記箱体（１０’）の前壁（１１’）との間に圧入された状態で装着される複数枚のプレート（４１、４２，４３、４４、４１’、４２’）とからなることを特徴とする簡易止水装置。
【請求項４】
請求項３に記載の止水装置において、ロック部材（４０”）が止水板（１）の表面と箱体（１０’）の前壁（１１’）との間に設けられるリンク機構（４６、４７）からなる簡易止水装置。
【請求項５】
所定面積の止水板（１’）と、該止水板が収納あるいは載置される箱体（１０”）と、回動結合部材（５０）とからなり、
前記止水板（１’）は、前記箱体（１０”）に収納された状態で地面下に設置されるとその表面（４’）は地表面と略同じ高さとなり、そして手動的に立ち上げてロック部材によりロックされると、雨水、河川水、海水等の氾濫水の浸水が防止されるようになっている止水装置であって、
前記箱体（１０”）の後端部にはパッキン受枠（１３’）が、そして側壁（１２”、１２”）の後端部には所定高さまで延びた一対のパッキン受支柱（１５’、１５’）が設けられ、
前記止水板（１’）の裏面には、立てられる時に前記パッキン受枠（１３’）とパッキン受支柱（１５’、１５’）とに当接するパッキン（５’、５’、５’）が設けられ、
前記止水板（１’）は、前記回動結合部材（５０）を介して、前記箱体（１０”）にスライドおよび回動可能に取り付けられ、それによって前記止水板（１’）が前記箱体（１０”）に収納されると、その裏面に設けられているパッキン（５’、５’、５’）は、前記箱体（１０”）内に位置し、手動的に立ち上げると前記パッキン受枠（１３’）とパッキン受支柱（１５’、１５’）側に位置するようになることを特徴とする簡易止水装置。
【請求項６】
請求項１〜５のいずれかの項に記載の止水装置において、止水板（１、１’）が、発泡アルミニウム製またはアルミニウム製のハニカム構造体のコアと、該コアを被覆しているアルミニウムの表面材とからなる複合材から構成されている簡易止水装置。
【発明の詳細な説明】
【０００１】
【発明の属する技術分野】
本発明は、所定面積の止水板と、該止水板が収納あるいは載置される箱体と、ロック部材とからなる簡易止水装置に関するもので、限定するものではないが、特に小規模の止水装置として好適な簡易止水装置に関するものである。
【０００２】
【従来の技術】
雨水、河川水、海水等の氾濫水が地下室、建造物の屋敷内等に浸水するのを防止する防水装置は、本出願人により、例えば特許文献１、２により提案されている。
【０００３】
【特許文献１】特開２００１−２４１２６１
【特許文献２】特願２００１−３２６８７３
【０００４】
本出願人が提案している特許文献１に記載されている可動防水装置は、海水、河川水、雨水等の氾濫水が地下室へ浸水するのを堰き止める防水板と、該防水板を地下から上方へガイド装置に沿って駆動する駆動装置とから構成されている。
防水板は地下室の入り口の地下に配置され、そして駆動装置は水道水が供給される水圧式のピストンシリンダユニットから構成されている。したがって、氾濫水が浸水する恐れがあるときには、ピストンシリンダユニットに水道水を供給すると、防水板が地下から所定高さまで駆動され、氾濫水が地下に進入することが防止される。
【０００５】
特許文献２に示されている水圧駆動式の防水装置は、通常は地下に配置され、防潮時に地上へ駆動される防水板と、この防水板に対応して地上に設けられている枠状支柱体と、防水板を地下から地上へ駆動する駆動装置とから構成されている。駆動装置は、水道水で作動する水圧ピストン・シリンダユニットからなり、防水板は、所定位置までは枠状支柱体に非接触的に駆動され、所定位置に達すると、その縁部分が枠状支柱体に当接するようになっている。したがって、大波、高潮等の発生が予想されるときは、水道水を水圧ピストン・シリンダユニットに供給すると、防水板が所定高さまで駆動され、海水の浸水が防止される。また、地下室の入り口に設けておくと、雨水、海水等の氾濫水が地下室へ浸水することを防ぐことができる。
【０００６】
【発明が解決しようとする課題】
上記のように、本出願人が提案している可動防止装置あるいは水圧駆動式の防水装置によると、水道水あるいはタンク中の雨水により防水板を地下から所定高さまで駆動することができ、災害時の氾濫水の防止装置として有益であり、実施する上で格別問題はない。特に、災害時にガス、電気等のサービスが停止するようなときにも最後までサービスされ、あるいは復旧も一番早いといわれる水道水が利用されるので、停電時にも作動し、しかも遠隔的にも駆動することができ、災害時の防水装置としては有益である。また、防水板を駆動する動力も、設置スペースも格別に必要とせず、しかも必要時には手動的に確実に駆動することができるという特徴も有する。また、後者の圧駆動式の防水装置によると、海岸の風景を格別に損なわいという利点もある。
【０００７】
しかしながら、改良すべき点も認められる。例えば、防水板が水道水で駆動されるので、広い面積で重量のある防水板も駆動することができ、比較的大規模な防水装置には適しているが、装置が大型化しスト高になることがあり、家庭的あるいは小規模の防水装置としては必ずしも適しているとはいえない。また、復旧も一番早いといわれる水道水が利用されているとしても、復旧が遅れると、用をなさないこともあり得る。さらには、水道水という極めて単純な駆動源が適用されているが、水道栓とピストンシリンダユニットとの間の配管にはバルブが設けられ、バルブを開閉して防水板を駆動するようになっているので、一応自動駆動系を構成している。したがって、ある程度の保守点検も必要で個人向けの防水装置としては不向きであることもある。
本発明は、上記したような従来の点を改良した止水装置を提供しようとするもので、具体的には構造が単純で低価格で、動力も保守点検も格別に必要としない簡易止水装置を提供することを目的としている。
【０００８】
【課題を解決するための手段】
請求項１に記載の発明は、上記目的を達成するために、所定面積の止水板と、該止水板が収納あるいは載置される箱体と、下方ロック部材と、上方ロック部材とからなり、前記止水板は前記箱体に収納された状態で地面下に設置されるとその表面は地表面と略同じ高さとなり、そして手動的に立ち上げて前記下および上ロック部材によりロックされると、雨水、河川水、海水等の氾濫水の進入を防止するようになっている止水装置であって、前記箱体の後端部にはパッキン受枠が、そして側壁の後端部には所定高さまで延びた一対のパッキン受支柱が設けられ、前記止水板の裏面には、立てられる時に前記パッキン受枠とパッキン受支柱とに当接するパッキンが設けられ、前記下方ロック部材は、前記箱体の底壁に固定されている固定部材と、該固定部材に対して回動自在に設けられているロック部材とからなり、前記上方ロック部材は、前記パッキン受支柱の上端部と前記止水板の上端部とにわたって装着されるように構成されている。請求項２に記載の発明は、請求項１に記載の止水装置において、パッキン受枠とパッキン受支柱とが、予め箱体に一体化されている。
請求項３に記載の発明は、所定面積の止水板と、該止水板が収納あるいは載置される箱体と、ロック部材とからなり、前記止水板は、前記箱体に収納された状態で地面下に設置されるとその表面は地表面と略同じ高さとなり、そして手動的に立ち上げて前記ロック部材によりロックされると、雨水、河川水、海水等の氾濫水の進入を防止するようになっている止水装置であって、前記箱体の後端部にはパッキン受枠が、そして側壁の後端部には所定高さまで延びた一対のパッキン受支柱が設けられ、前記止水板の裏面には、立てられる時に前記パッキン受枠とパッキン受支柱とに当接するパッキンが設けられ、前記ロック部材は、止水板の表面と前記箱体の前壁との間に圧入された状態で装着される複数枚のプレートとから構成される。請求項４に記載の発明は、請求項３に記載の止水装置において、ロック部材が止水板の表面と箱体の前壁との間に設けられるリンク機構から構成される。
請求項５に記載の発明は、所定面積の止水板と、該止水板が収納あるいは載置される箱体と、回動結合部材とからなり、前記止水板は、前記箱体に収納された状態で地面下に設置されるとその表面は地表面と略同じ高さとなり、そして手動的に立ち上げてロック部材によりロックされると、雨水、河川水、海水等の氾濫水の浸水が防止されるようになっている止水装置であって、前記箱体の後端部にはパッキン受枠が、そして側壁の後端部には所定高さまで延びた一対のパッキン受支柱が設けられ、前記止水板の裏面には、立てられる時に前記パッキン受枠とパッキン受支柱とに当接するパッキンが設けられ、前記止水板は、前記回動結合部材を介して、前記箱体にスライドおよび回動可能に取り付けられ、それによって前記止水板が前記箱体に収納されると、その裏面に設けられているパッキンは、前記箱体内に位置し、手動的に立ち上げると前記パッキン受枠とパッキン受支柱側に位置するように構成される。そして、請求項６に記載の発明は、請求項１〜５のいずれかの項に記載の止水装置において、止水板が、発泡アルミニウム製またはアルミニウム製のハニカム構造体のコアと、該コアを被覆しているアルミニウムの表面材とからなる複合材から構成されている。
【０００９】
【発明の実施の形態】
以下添付図面により、本発明の実施の形態を説明する。図１の（イ）は、本発明の第１の実施の形態に係わる止水板１を立てた使用状態を、そして図２の（イ）は、収納した不使用状態を示す斜視図であるが、これらの図に示されているように、第１の実施の形態に係わる止水装置は、略方形を呈する所定面積の止水板１と、該止水板１が収納あるいは載置される箱体１０とからなっている。そして、詳しくは後述するが止水板１は、立てられると氾濫水の浸水を防止するが、通常はその表面４は道路のような通行可能な路面として利用されるようになっている。
【００１０】
止水板１は、コア材と、その表面を被覆した表面材とからなる複合材から構成されている。このような複合材のコアは、発泡アルミニウムあるいはアルミニウム製のハニカム構造体からなり、表面材はアルミニウムの薄板から構成されている。このアルミニウムの複合材は、軽量で耐食性にも優れ、強度も大きく所定の水圧に耐えることができ、また人等の重量にも充分耐えることができる。
【００１１】
この複合材からなる止水板１の裏面２の両側部および図１の（イ）において下方端部すなわち図２の（イ）において右方の後端部の近傍には、所定幅のパッキン５、５、５が設けられている。図１の（イ）および図２の（ロ）には、一側部のパッキン５のみが現れている。また、止水板１の後端部の近傍の表面４には、通常は止水板１の表面４と同じ面をなしているが、表面４から直接的に把持することができる取っ手６が取り付けられている。したがって、この取っ手６により止水板１を持ち上げると、止水板１は後端部側から小さな力で持ち上がることになる。
【００１２】
箱体１０は、図２の（ロ）にも示されているように、ステンレス鋼板あるいは上記したアルミニウムの複合材から前壁１１、側壁１２、１２および後壁１３とから比較的浅い箱として構成されている。後壁１３は、本実施の形態ではパッキン受枠１３となっている。このような比較的浅い箱体１０の底壁１４の後端部寄りの所定位置に複数個の下方ロック部材２０が設けられている。下方ロック部材２０は、図１の（ロ）に拡大して示されているように、例えばボルトにより底壁１４に固定されている固定部材２１と、この固定部材２１の側縁２２、２２の、図１の（ロ）おいて左方の前端部にピン２３で回動自在に取り付けられているロック部材２４とからなっている。ロック部材２４の前端が押付部２５となっている。この押付部２５が止水板１の表面４を、主としてパッキン受枠１３に対して押圧することになる。
【００１３】
上記のように構成されている箱体１０の後端部の側壁１２、１２からは一対のパッキン受支柱１５、１５が所定高さまで延びている。このパッキン受支柱１５、１５の間隔は、本実施の形態では塀Ｈ、Ｈの間隔となっている。このパッキン受支柱１５、１５は、内部が空洞になって、この空洞を利用して上方ロック部材３０が装着されるようになっている。上方ロック部材３０は、特に図１の（ハ）に示されているように、止水板１の表面４を押圧する当面３１と、水平面３２と、パッキン受支柱１５の内部に装着される止着面３２とから略コ字形に構成されている。水平面３２の長さＬは、止水板１とパッキン５の略合計厚さになっている。したがって、図１の（ハ）に示されているように、パッキン受支柱１５に上方ロック部材３０、３０を装着すると、止水板１はパッキン５、５を介してパッキン受支柱１５、１５の主として上方部分が密着状態でロックされることになる。
【００１４】
次に、上記第１の実施の形態の使用方法を説明する。箱体１０を例えば、建物、地下室等の入り口の塀Ｈ、Ｈの間に設置する。すなわち、下方ロック部材２０、２０、…は、箱体１０の底壁１４に固着されているので、そのロック部材２４を図１の（ロ）に示されているように、開いておく。また、上方ロック部材３０、３０を箱体１０内に収納する。そうして、止水板１を、パッキン５、５、５が設けられている裏面２を下側にして箱体１０に被せる。これにより、上下のロック部材３０、２０は箱体１０内に収納され、そして止水板１の表面４は通行が可能な路面となる。
【００１５】
塀Ｈ、Ｈの間を必要なだけ掘り下げて、箱体１０をパッキン受支柱１５、１５が塀Ｈ、Ｈに支持されるような状態で埋設する。そうすると、止水板１の表面４は、地面Ｇと略同じ高さになり、またパッキン受支柱１５、１５は、塀Ｈ、Ｈの側にあるので、通行の邪魔にはならない。止水板１の表面４を通常の路面と同じように利用する。また、パッキン５、５、５は、止水板１の裏面２に設けられているので、交通時に損傷を受けるようなことはない。さらには、風雪、日光等に曝され劣化するようなこともない。このような状態が、図２の（イ）に示されている。
【００１６】
雨水、河川水等の氾濫水の浸水を防止するときは、止水板１を取っ手６を持って後端部の方から上方へ引き上げる。止水板１は、前述したようにアルミニウムの複合材から構成されているので軽量で、また前端部は箱体１０の底壁１４に支持されているので、小さな力で持ち上げることができる。このようにして、持ち上げている状態が、図２の（ロ）に示されている。さらに、止水板１を持ち上げる。そうすると、止水板１の裏面２のパッキン５、５、５が、パッキン受支柱１５、１５とパッキン受枠１３に接するようになる。そこで、上方ロック部材３０、３０を、図１の（イ）、（ハ）に示されているように装着する。これにより、止水板１の上方部分がパッキン受支柱１５、１５にロックされる。また、下方ロック部材２０のロック部材２４を、図１の（ロ）において矢印で示されている方向に回動して、押付部２５を止水板１の表面４に当接させる。次いで、例えば足によりロック部材２４を押し込む。これにより、止水板１の下方部分がロックされる。止水板１は、パッキン５、５、５を介してパッキン受枠１３とパッキン受支柱１５、１５に対して密着される。これにより、止水板１の内外換言すると塀Ｈ、Ｈの内外が隔離され、雨水、河川水等の浸水が防止される。不要なときは逆の手順により、止水板１を図２の（イ）に示されている状態に戻す。
【００１７】
次に、図３、４により本発明の第２の実施の形態を説明する。なお、以下順次第２〜５の実施の形態を説明するが、第１の実施の形態の構成要素と同じ要素には同じ参照数字を付け、同じような構成要素には同じ参照数字にダッシュ「’」あるいは「”」を付け、さらには第１の実施の形態から容易に理解される構成要素は図を省略して簡略に説明する。第２の実施の形態の止水装置も、略方形を呈する止水板１を備えている。そして、この止水板１は、止水時には、図３に示されているように、塀Ｈ、Ｈの途切れた間に立てられ、非使用時には図４の（ロ）に示されているように、その止水板１の表面４が路面の一部をなすように箱体１０内に収納されるように設置されている。
【００１８】
以下さらに詳しく説明する。第２の実施の形態に係わる止水装置は、図３に示されているように、略方形を呈する止水板１と、この止水板１の両側部を防水時に支える一対のパッキン受支柱１５’、１５’と、止水板１をパッキン受支柱１５７、１５’に対して押圧するロック部材４０と、ロック部材４０と止水板１が収納される箱体１０’とからなっている。止水板１、パッキン受支柱１５’、１５’、ロック部材４０等も、第１の実施の形態と同様に、望ましくは発泡アルミニウムのコアあるいはアルミニウム製のハニカム構造体のコアと、これらのコアの表面を被覆しているアルミニウムの表面材とからなる複合材が適用されている。このような複合材からなる止水板１の裏面２の両側部および後端部には、図４の（イ）に示されているように、所定幅のパッキン５、５、５がコ字形に設けられている。
【００１９】
箱体１０’は、図３および図４の（ロ）に示されているように、前壁１１’、側壁１２’、１２’、後壁１３’および底壁１４’から比較的浅い箱として構成されている。この箱体１０’の内部に、詳しく後述するロック部材４０が収納され、その開口部は止水板１で封鎖されるようになっている。このような箱体１０’の底壁１４’には、幅方向に補強梁１６が固定されている。この補強梁１６は、図４の（ロ）、（ハ）に示されているように、後端部側は斜面１７になっている。この斜面１７により、止水板１を引き上げるときパッキン５が固定梁１６を滑らかに越えることができる。
【００２０】
ロック部材４０は、本実施の形態では、図３、４に示されているように、箱体１０’の側壁１２’、１２’側に位置する比較的大きな一対の側部クランププレート４１、４１、これらのプレート４１、４１の間に位置する２枚のサポートプレート４２、４２、サポートプレート４２、４２の間隔を保持する間隔保持梁４３、補強梁１６と止水板１の表面４との間に圧入される、複数枚の下部クランププレート４４、４４、…等からなっている。側部クランププレート４１、４１は、組み立てられたとき、止水板１の表面４に接する辺と箱体１０’の底壁１４’に接する辺とから、側面的に見て略直角定規形を呈している。サポートプレート４２、４２も側部クランププレート４１と同様に構成されているが、底辺には補強梁１６を逃す切欠１６’が設けられている。また、間隔保持梁４３の下面には、サポートプレート４２、４２の上辺が嵌る溝が形成されている。
【００２１】
次に、上記第２実施の形態の作用について説明する。ロック部材４０は、プレートから構成され、取り外し自在であるので、解体して箱体１０’に収納する。
そして、箱体１０’の開口部を止水板１の裏面が内側に位置するようにして閉鎖する。一方、塀Ｈ、Ｈの前方あるいは後方の適所を所定深さに掘り下げ、そしてし箱体１０’を埋設する。そうすると、図４の（ロ）に示されているように、止水板１の表面４は地面Ｇと略同じ高さの面となり、パッキン受支柱１５’、１５’は、図３に示されているように、塀Ｈ、Ｈの途切れた端部に位置するようになる。第１の実施の形態と同様に、パッキン５、５、５は止水板１で保護され、止水板１の表面４は通路として使用することができる。
【００２２】
氾濫水の浸水を阻止するときは、図４の（ハ）に示されているように、止水板１の後端部を持ち上げる。このときも、止水板１の先端部は箱体１０’の底壁１４’で支えられているので、小さな力で引き上げることができる。引き上げを続けると、後端部のパッキン５は補強梁１６の斜面１７を乗り越えてパッキン受支柱１５’、１５’の方へ近づく。近づいたら、止水板１の表面４と補強梁１６との間に、下部クランププレート４４、４４、…を圧入する。圧入している途中の段階が、図４の（ニ）に示されている。次いで、側部クランププレート４１、４１とサポートプレート４２、４２、…とを、図３に示されているように止水板１の表面４と箱体１０’の前壁１１’との間に圧入する。そして、サポートプレート４２、４２の上方に間隔保持梁４３をセットする。これにより、止水板１のパッキン５、５、５は、パッキン受枠１３’とパッキン受支柱１５’、１５’に密着する。止水板１の内外が遮断され、氾濫水の浸水が防止される。逆の手順により、図４の（ロ）に示されている元の状態に戻すことができることは明らかである。
【００２３】
図５の（イ）、（ロ）に、本発明の第３、４の実施の形態が示されている。第３、４の実施の形態は、前述した第２の実施の形態と比較して、ロック部材の部分が相違し、他の構成要素は同じであるので、同じような参照数字を付けて、あるいは図を省略して重複説明はしないが、図５の（イ）に示されている第３の実施の形態によると、ロック部材４０’はさらに簡略化され、側部クランププレート４１、４１の間には複数枚のロックプレート４２’、４２’が設けられている。ロックプレート４２’、４２’は、使用時に止水板１の表面４と箱体１０’の前壁１１’との間に圧入されるようになっている。
【００２４】
図５の（ロ）に示されている第４の実施の形態によると、ロック部材４０”はトグル機構から構成されている。すなわち、第４の実施の形態によるロック部材４０”は、組み立て時に止水板１の裏面４を押圧する押圧片４５と、箱体１０’の前壁１１’との間に設けられている第１、２のリンク４６、４７からなっている。第１、２のリンク４６、４７の先端部は、互いに回動できるようにピン４８により結合され、第１のリンク４６の基端部は押圧片４５に、そして第２のリンク４７の基端部は箱体１０’の前壁１１’に回動自在に取り付けれている。したがって、止水板１を、そのパッキン５、５、５が前述したようにパッキン受枠１３’とパッキン受支柱１５’、１５７に当接するように立ち上げ、そして押圧片４５を止水板１の裏面４に当て、第１、２のリンク４６、４７の結合近傍を矢印方向に、ピン４８の回動点を越える位置まで押し込む。そうすると、第１、２のリンク４６、４７は、死点を越えた状態になるので、自然の力では復元することができず、止水板１はロックされる。第４の実施の形態によると、一種のトグル機構が採用されているので、ロックはより確実で、またロック部材４０”の部品数も少なくなっている。
【００２５】
第３、４の実施の形態によっても、ロック部材４０’、４０”を箱体１０’に収納すると、止水板１の表面４は通路として利用できることは明らかである。また、これらの止水板１とロック部材４０’、４０”を前述した実施の形態の構成部材と同様にアルミニウムの複合材から構成できることも明らかである。さらには、複数個のロック部材４０”が適用されることも明らかである。なお、第１、２のリンク４６、４７は、アルミニウムの棒材から構成するのが望ましい。
【００２６】
最後に、図６、７により本発明の第５の実施の形態を説明する。上記した第１〜４の実施の形態では、ロック部材は止水板と箱体から分離され、非使用時には箱体内に収納されるようになっているが、第５の実施の形態では止水板と箱体は回動部材を介して一体化されている。
【００２７】
図６の（イ）は、箱体１０”から離した止水板１’の一部を示す斜視図で、その（ロ）は、組み立てた止水板１’の裏面の一部を示す平面図であるが、これらの図に示されているように、第５の実施の形態に係わる止水装置は、止水板１’と、箱体１０”と、これらを結合している回動結合部材５０とから構成されている。止水板１’の、図６の（イ）において右方の後端部側の両側部は、切欠部５１を形成するために所定長さにわたって切り落とされている。切欠部５１の前端部は斜めに切り落とされ、そして後端部に寄った位置にはピン５２が設けられている。回動結合部材５０は、切欠部５１に対応した形状に構成され、止水板１’のピン５２に対応した位置には、図６の（ロ）に示されているように組み立てたとき、ピン５２が入る長孔５３が形成されている。また、回動結合部材５０の前方端部寄りには、透孔５４が開けられている。この透孔５４に箱体１０’の側壁１２’に設けられている軸５５が挿入されている。したがって、回動結合部材５０は軸５５を中心として回動できる。
【００２８】
第５の実施の形態に係わる止水装置は、上記のように構成されているので、図６の（イ）に示されているように、止水板１’の表面４’が上になる状態で、前述したように、例えば塀の途切れた部分に設置する。このようにして設置した状態が、図７の（イ）に模式的な側面図に示されている。止水板１’の表面４’は交通に供される。パッキン５、５、５は、止水板１’の裏側にあり、保護されている。止水の必要が生じたときには、止水板１’を、その取っ手６’を以て引き上げる。引き上げている途中の段階が図７の（ロ）、（ハ）に示されている。回動結合部材５０は軸５５を中心として回動して持ち上げられ、止水板１’はピン５２を中心として長孔５３に案内あるいは規制されながら引き上げられる。
【００２９】
ピン５２が、軸５５の真上近くにきたら、ピン５２の近傍を図７の（ハ）において矢印で示されている方向に押す。ピン５２が軸５５真上を越すと、止水板１’は重力により下がるようになる。取っ手６’により支えながら下ろす。下ろし終えた状態が図７の（ホ）に示されている。前述したようなロック部材４０、４０’、４０”で止水板１’をパッキン受枠とパッキン受支柱に押し付ける。これにより、止水される。逆の手順により、図７の（イ）に示されている状態に戻す。
【００３０】
上記実施の形態では、止水板１、１’、箱体１０、１０’、ロック部材４０、４０’、４０”等はアルミニウム製の複合材から構成される旨説明したが、再生プラスチック、ＦＲＰ、塩ビ板等のプラスチックから形成できることは明らかである。さらには、アルミニウム製の板材あるいは不錆鋼板から構成することもできる。
【００３１】
【発明の効果】
以上のように、本発明による簡易止水装置は、所定面積の止水板と、該止水板が収納あるいは載置される箱体と、下方ロック部材と、上方ロック部材とからなり、前記止水板は前記箱体に収納された状態で地面下に設置されるとその表面は地表面と略同じ高さとなり、そして手動的に立ち上げて前記下および上ロック部材によりロックされると、雨水、河川水、海水等の氾濫水の進入を防止するようになっているので、構造は単純で安価である。したがって、小規模の個人的な設備にも負担増なしで容易に設置できる。また、止水板の表面は路面と同じように使用でき、さらには設置されていても付近の環境を阻害するようなこともない。
そして、本発明によると、箱体の後端部にはパッキン受枠が、側壁の後端部には所定高さまで延びた一対のパッキン受支柱が設けられ、前記止水板の裏面には、立てられる時に前記パッキン受枠とパッキン受支柱とに当接するパッキンが設けられ、前記下方ロック部材は、前記箱体の底壁に固定されている固定部材と、該固定部材に対して回動自在に設けられているロック部材とからなり、前記上方ロック部材は、前記パッキン受支柱の上端部と前記止水板の上端部とにわたって装着されるように構成されているので、簡単に止水状態にセットでき、セットすると、実質的に完全に氾濫水の侵入を阻止することができる。また、パッキンは止水板の裏面に設けられているので、通行により損傷することも、日光等により劣化するようなこともない。
パッキン受枠とパッキン受支柱とが、予め箱体に一体化されている発明によると、箱体を設置すると、自動的にパッキン受枠とパッキン受支柱とが設けられる効果が得られ、ロック部材が止水板の表面と箱体の前壁との間に圧入された状態で装着される複数枚のプレートとから構成されている発明あるいはロック部材が止水板の表面と箱体の前壁との間に設けられるリンク機構から構成されている発明によると、止水板を簡単に止水状態にセットできる効果がさらに得られる。
止水板が回動結合部材を介して、箱体にスライドおよび回動可能に取り付けられ、それによって前記止水板が前記箱体に収納されると、その裏面に設けられているパッキンは、前記箱体内に位置し、手動的に立ち上げると前記パッキン受枠とパッキン受支柱側に位置するように構成されている発明によると、上記した発明のように止水効果が得られると共に、止水板が回動結合部材を介して、箱体にスライドおよび回動可能に取り付けられているので、個別に設けられている場合に比較して管理が容易になる効果が得られる。止水板が発泡アルミニウム製またはアルミニウム製のハニカム構造体のコアと、該コアを被覆しているアルミニウムの表面材とからなる複合材から構成されている発明によると、耐食性にも優れ、軽量で手動操作に適し、且つ強度も大きく通路としても適した簡易止水装置が得られる。
【図面の簡単な説明】
【図１】本発明の第１の実施の形態を示す斜視図で、その（イ）は氾濫水の浸水を防止している使用状態を、その（ロ）は拡大された下方ロック部材を、そしてその（ハ）は同様に拡大された上方ロック部材の近傍をそれぞれ示す斜視図である。
【図２】本発明の第１の実施の形態を示す斜視図で、その（イ）は止水板を収納し、通路として使用可能な状態を、その（ロ）は止水板を止水状態にセットしている途中の段階をそれぞれ示す斜視図である。
【図３】本発明の第２の実施の形態を、氾濫水の浸水を防止する使用状態で示す斜視図である。
【図４】本発明の第２の実施の形態を示す図で、その（イ）は止水板の裏面を示す斜視図、その（ロ）は止水板を収納し、通路として使用可能な状態を、その（ハ）は止水板を止水状態にセットする途中の段階を、そしてその（ニ）はセットし終える直前の状態をそれぞれ模式的に示す側断面図である。
【図５】本発明の第３、４の実施の形態を示す図で、その（イ）は第３の、そしてその（ロ）は第４の実施の形態の要部をそれぞれ示す斜視図である。
【図６】本発明の第５の実施の形態を示す図で、その（イ）は止水板部分の表面を示す斜視図、その（ロ）は止水板部分の裏面を示す平面図である。
【図７】本発明の第５の実施の形態の作用を示す図で、その（イ）〜（ホ）は各作用段階を模式的に示す側面図である。
【符号の説明】
１、１’    止水板                    ４、４’      表面
５      パッキン      １０、１０’、１０”      箱体
１３、１３’  パッキン受枠          １５、１５’      パッキン受支柱
２０          下方ロック部材              ３０      上方ロック部材
４０、４０’、４０”    ロック部材      ５０    回動結合部材
【図１】
2005060932.tif 000003
【図２】
2005060932.tif 000004
【図３】
2005060932.tif 000005
【図４】
2005060932.tif 000006
【図５】
2005060932.tif 000007
【図６】
2005060932.tif 000008
【図７】
2005060932.tif 000009
【手続補正書】
【提出日】平成15年8月28日(2003.8.28)
【手続補正１】
【補正対象書類名】図面
【補正対象項目名】全図
【補正方法】変更
【補正の内容】
【図１】
2005060932.tif 000010
【図２】
2005060932.tif 000011
【図３】
2005060932.tif 000012
【図４】
2005060932.tif 000013
【図５】
2005060932.tif 000014
【図６】
2005060932.tif 000015
【図７】
2005060932.tif 000016